(57)【要約】【課題】集合住宅用セキュリティシステムにおいて、高価な回線交換機を不要にすると共に、インタフォン用配線と電話用配線とをＬＡＮ用の配線と共用できるようにして、配線用のスペースの確保を容易にし、配線に必要な費用を削減する。【解決手段】ＩＰ電話機１３と集合インタフォン１１間の入出力データに対するＤ／Ａ変換処理又はＡ／Ｄ変換処理を行うインタフォン用ＩＦ１２と、集合インタフォン１１から受信した部屋番号のデータをＩＰ電話機１３のＩＰアドレスのデータに変換して、このＩＰアドレス宛に呼出信号を送信するＳＩＰサーバ６１とを設けたことにより、固定のＩＰ電話機１３とアナログ方式の集合インタフォン１１との間で、回線交換機を介さず呼を確立することができる。また、ＩＰ電話機１３を用いて共用玄関口のドア１５の開錠を行うことができるので、インタフォン用の配線とＩＰ電話機用の配線とをＬＡＮ用の配線と共用できる。【選択図】図１
2005294968.tif 000002
【特許請求の範囲】
【請求項１】
集合住宅の共用玄関口で、居住者と訪問者とが通話するための集合住宅用インタフォンシステムにおいて、
前記共用玄関口に設置されて、前記居住者に対する呼び出しを行うためのアナログ方式の集合インタフォンと、
前記集合インタフォンから出力されたアナログ信号形式のデータに対するデジタル化処理、符号化処理、及びパケット分解処理を行うと共に、前記集合インタフォンに入力されるデジタル信号形式のデータに対するパケット組立処理、復号化処理、及びアナログ化処理を行う集合インタフォン用インタフェース機器（以下、「インタフォン用ＩＦ機器」という）と、
前記集合住宅内の各部屋に配設されて、パケットデータの形式で信号を送受信し、インターネットを介して他の電話機と通信可能であると共に、前記インタフォン用ＩＦ機器を介して前記集合インタフォンと通信可能なＩＰ電話機と、
前記集合インタフォンから前記インタフォン用ＩＦ機器を介して部屋番号のデータを受信したときに、この部屋番号のデータを該当する部屋のＩＰ電話機のＩＰアドレスのデータに変換すると共に、このＩＰアドレス宛に呼出信号を送信して、前記ＩＰ電話機と前記集合インタフォンとの間で呼を確立させるＳＩＰ（Session Initiation Protocol）サーバとを備え、
前記集合インタフォンと前記ＩＰ電話機との間で回線交換機を介さず呼を確立するようにしたことを特徴とする集合住宅用インタフォンシステム。
【請求項２】
集合住宅の共用玄関口で、居住者及び居住者から許可を得た者のみの出入りを許容する、オートロック機能を有する集合住宅用セキュリティシステムにおいて、
前記共用玄関口に設置されて、前記居住者に対する呼び出しを行うためのアナログ方式の集合インタフォンと、
前記集合インタフォンから出力されたアナログ信号形式のデータに対するデジタル化処理、符号化処理、及びパケット分解処理を行うと共に、前記集合インタフォンに入力されるデジタル信号形式のデータに対するパケット組立処理、復号化処理、及びアナログ化処理を行うインタフォン用ＩＦ機器と、
前記集合住宅内の各部屋に配設されて、パケットデータの形式で信号を送受信し、インターネットを介して他の電話機と通信可能であると共に、前記インタフォン用ＩＦ機器を介して前記集合インタフォンと通信可能なＩＰ電話機と、
前記集合インタフォンから前記インタフォン用ＩＦ機器を介して部屋番号のデータを受信したときに、この部屋番号のデータを該当する部屋のＩＰ電話機のＩＰアドレスのデータに変換すると共に、このＩＰアドレス宛に呼出信号を送信して、前記ＩＰ電話機と前記集合インタフォンとの間で呼を確立させるＳＩＰサーバと、
前記共用玄関口のドアの開錠と施錠とを制御する電気錠制御装置とを備え、
前記集合インタフォンと前記ＩＰ電話機との間で回線交換機を介さず呼を確立するようにしたことを特徴とするオートロック機能を有する集合住宅用セキュリティシステム。
【請求項３】
前記ＳＩＰサーバは、前記集合住宅外に配設されて、前記インタフォン用ＩＦ機器とインターネットを介して接続されており、前記集合インタフォンから前記インタフォン用ＩＦ機器とインターネットとを介して部屋番号のデータを受信することを特徴とする請求項２に記載のオートロック機能を有する集合住宅用セキュリティシステム。
【請求項４】
前記集合住宅内の各部屋に配設されたＩＰ電話機と前記インタフォン用ＩＦ機器との間の配線として、前記集合住宅内におけるＬＡＮ用の配線を用いたことを特徴とする請求項２又は請求項３に記載のオートロック機能を有する集合住宅用セキュリティシステム。
【請求項５】
前記集合住宅内の各部屋に配設されたＩＰ電話機をインターネットに接続するための配線、及び前記インタフォン用ＩＦ機器をインターネットに接続するための配線として、前記集合住宅内におけるＬＡＮ用の配線を用いたことを特徴とする請求項３又は請求項４に記載のオートロック機能を有する集合住宅用セキュリティシステム。
【請求項６】
前記集合インタフォンは、前記集合住宅内の各部屋に配設されたＩＰ電話機から前記インタフォン用ＩＦ機器を介して、特定のダイヤル番号の信号を受信したときに、前記電気錠制御装置に対して開錠信号を出力し、
前記電気錠制御装置は、前記開錠信号を受信すると、前記共用玄関口のドアを一時的に開錠するように制御することを特徴とする請求項２乃至請求項５に記載のオートロック機能を有する集合住宅用セキュリティシステム。
【請求項７】
前記電気錠制御装置に対して開錠信号を出力することが可能な開錠用インタフェース機器（以下、「開錠用ＩＦ機器」という）をさらに備え、
前記ＩＰ電話機は、ユーザにより該ＩＰ電話機の開錠ボタンが押されたときに、開錠ボタンに対応する信号をインターネットを介して前記ＳＩＰサーバに送信し、
前記ＳＩＰサーバは、前記ＩＰ電話機から前記開錠ボタンに対応する信号を受信したときに、パケット化した開錠信号をインターネットを介して前記開錠用ＩＦ機器に送信し、
前記開錠用ＩＦ機器は、前記ＳＩＰサーバから前記パケット化された開錠信号を受信したときに、このパケット化された開錠信号を組み立てて、組み立てた開錠信号を前記電気錠制御装置に出力し、
前記電気錠制御装置は、前記開錠信号を受信すると、前記共用玄関口のドアを一時的に開錠するように制御することを特徴とする請求項２乃至請求項６に記載のオートロック機能を有する集合住宅用セキュリティシステム。
【請求項８】
前記集合インタフォン内部又は前記集合インタフォンの周辺に配設されたカメラと、
前記カメラにより撮像した画像の信号を、一般のテレビジョン信号と混合させるためのミキサーとをさらに備え、
前記カメラにより撮像した画像を、前記ミキサーを介して、前記集合住宅内の各部屋に配設されたテレビジョン受像機で受像し得るようにしたことを特徴とする請求項２乃至請求項７に記載のオートロック機能を有する集合住宅用セキュリティシステム。
【請求項９】
前記集合住宅を警備するための警備センターに配されて、パケットデータの形式で信号を送受信するＩＰ電話機をさらに備え、
前記ＩＰ電話機は、インターネットに接続されており、
前記ＩＰ電話機は、ユーザにより該ＩＰ電話機の開錠ボタンが押されたときに、開錠ボタンに対応する信号をインターネットを介して前記ＳＩＰサーバに送信し、
前記ＳＩＰサーバは、前記ＩＰ電話機から前記開錠ボタンに対応する信号を受信したときに、パケット化した開錠信号をインターネットを介して前記開錠用ＩＦ機器に送信し、
前記開錠用ＩＦ機器は、前記ＳＩＰサーバから前記開錠ボタンに対応する信号を受信したときに、パケット化された開錠信号を組み立てて、組み立てた開錠信号を前記電気錠制御装置に出力し、
前記電気錠制御装置は、前記開錠信号を受信すると、前記共用玄関口のドアを一時的に開錠するように制御することを特徴とする請求項２乃至請求項８に記載のオートロック機能を有する集合住宅用セキュリティシステム。
【請求項１０】
前記集合住宅を警備するための警備センターに配された情報端末をさらに備え、
前記情報端末は、インターネットに接続されており、
前記情報端末は、ユーザにより開錠を指示する入力が行われたときに、パケット化した開錠信号をインターネットを介して前記開錠用ＩＦ機器に送信し、
前記開錠用ＩＦ機器は、前記情報端末から前記パケット化された開錠信号を受信したときに、このパケット化された開錠信号を組み立てて、組み立てた開錠信号を前記電気錠制御装置に出力し、
前記電気錠制御装置は、前記開錠信号を受信すると、前記共用玄関口のドアを一時的に開錠するように制御することを特徴とする請求項２乃至請求項９に記載のオートロック機能を有する集合住宅用セキュリティシステム。
【発明の詳細な説明】
【技術分野】
【０００１】
本発明は、集合住宅の共用玄関口で居住者と訪問者とが通話するための集合住宅用インタフォンシステムと、オートロック機能を有し、集合住宅の共用玄関口で居住者及び居住者から許可を得た者のみの出入りを許容する集合住宅用セキュリティシステムとに関するものである。
【背景技術】
【０００２】
従来の集合住宅用セキュリティシステムにおいて、集合住宅の共用玄関口におけるオートロック方式のドアの開錠は、以下の２つの方法により行われている。１つ目の方法は、集合住宅内の各部屋に配設された家庭用インタフォンと共用玄関口に配設された集合インタフォンとをインタフォン用の配線で直接接続して、集合インタフォン側の呼び出しボタンが押されたときに、家庭用インタフォンを鳴動させて、共用玄関口に来訪者がいることを知らせるようにすると共に、共用玄関口のドアの開錠を制御する電気錠制御装置（自動ドア制御部）と家庭用インタフォンとを接続して、家庭用インタフォン側の開錠ボタンが押されたときに、電気錠制御装置により共用玄関口のドアの開錠を行うようにする方法である。また、２つ目の方法は、集合住宅内の各部屋に配設されたアナログ電話機と集合住宅内に配設された回線交換機とを用いて、共用玄関口のドアの開錠と内線・外線通話とを行うようにする方法である。この方法においては、電話交換機は、アナログ電話機と集合インタフォンとの間の呼を確立させるために用いられている。
【０００３】
しかしながら、上記１つ目の方法では、各部屋に配設された家庭用インタフォンと共用玄関口に配設された集合インタフォンとをインタフォン用の専用配線で直接接続する必要があるので、集合住宅内に通信用の配線だけで、少なくともインタフォン用配線と電話用配線が必要になる。また、最近は、インターネットに接続することが主流となってきていることから、上記のインタフォン用配線と電話用配線に加えて、ＬＡＮ用配線を集合住宅内に配設するのが一般的である。従って、配線用のスペースを確保することが難しいという問題や、配線に必要な費用が高くなるという問題があった。
【０００４】
また、上記２つ目の方法では、各部屋の居住者が、本来、回線交換機が不要であるはずのＩＰ電話サービスに加入した場合でも、電話機と集合インタフォンとの間の呼を確立させて、電話機と集合インタフォンとの間の内線通話や、電話機からの集合インタフォンを介した共用玄関口のドアの開錠を可能にするためには、電話交換機を配設する必要がある。すなわち、オートロック機能を確保するためだけに高価な回線交換機が必要になる。
【０００５】
また、この種のシステムにおいて、インターネット回線を利用したものとしては、集合インタフォンからの呼び出し信号をインターネット回線を介して携帯電話機に転送すると共に、ユーザにより携帯電話機から入力された開錠信号をインターネット回線を介して電気錠に送信するようにしたものが知られている（例えば、特許文献１参照）。この発明によれば、ユーザが携帯電話機のみを使用する場合には、集合住宅内に固定電話用の配線や回線交換機を設ける必要がなくなる。しかし、ユーザが携帯電話機のみを使用すると、通信費が高くなるため、実際には、携帯電話機と固定電話機とを併用せざるを得ない。従って、特許文献１の発明によって、上記の問題を解決することはできない。
【特許文献１】特開２００２−１９４９３６号公報（第１−５頁、図１−６）
【発明の開示】
【発明が解決しようとする課題】
【０００６】
本発明は、上記の問題を解決するためになされたものであり、固定電話機と集合インタフォンとの間で回線交換機を介さず呼を確立することができるようにして、高価な回線交換機を不要にすると共に、インタフォン用配線と電話用配線とをＬＡＮ用の配線と共用することができるようにして、配線用のスペースの確保が容易で、配線に必要な費用の削減を図ることが可能な集合住宅用インタフォンシステム及び集合住宅用セキュリティシステムを提供することを目的とする。
【課題を解決するための手段】
【０００７】
上記目的を達成するために請求項１の発明は、集合住宅の共用玄関口で、居住者と訪問者とが通話するための集合住宅用インタフォンシステムにおいて、共用玄関口に設置されて、居住者に対する呼び出しを行うためのアナログ方式の集合インタフォンと、集合インタフォンから出力されたアナログ信号形式のデータに対するデジタル化処理、符号化処理、及びパケット分解処理を行うと共に、集合インタフォンに入力されるデジタル信号形式のデータに対するパケット組立処理、復号化処理、及びアナログ化処理を行う集合インタフォン用インタフェース機器（以下、「インタフォン用ＩＦ機器」という）と、集合住宅内の各部屋に配設されて、パケットデータの形式で信号を送受信し、インターネットを介して他の電話機と通信可能であると共に、インタフォン用ＩＦ機器を介して集合インタフォンと通信可能なＩＰ電話機と、集合インタフォンからインタフォン用ＩＦ機器を介して部屋番号のデータを受信したときに、この部屋番号のデータを該当する部屋のＩＰ電話機のＩＰアドレスのデータに変換すると共に、このＩＰアドレス宛に呼出信号を送信して、ＩＰ電話機と集合インタフォンとの間で呼を確立させるＳＩＰ（Session Initiation Protocol）サーバとを備え、集合インタフォンとＩＰ電話機との間で回線交換機を介さず呼を確立するようにしたものである。
【０００８】
請求項２の発明は、集合住宅の共用玄関口で、居住者及び居住者から許可を得た者のみの出入りを許容する、オートロック機能を有する集合住宅用セキュリティシステムにおいて、共用玄関口に設置されて、居住者に対する呼び出しを行うためのアナログ方式の集合インタフォンと、集合インタフォンから出力されたアナログ信号形式のデータに対するデジタル化処理、符号化処理、及びパケット分解処理を行うと共に、集合インタフォンに入力されるデジタル信号形式のデータに対するパケット組立処理、復号化処理、及びアナログ化処理を行うインタフォン用ＩＦ機器と、集合住宅内の各部屋に配設されて、パケットデータの形式で信号を送受信し、インターネットを介して他の電話機と通信可能であると共に、インタフォン用ＩＦ機器を介して集合インタフォンと通信可能なＩＰ電話機と、集合インタフォンからインタフォン用ＩＦ機器を介して部屋番号のデータを受信したときに、この部屋番号のデータを該当する部屋のＩＰ電話機のＩＰアドレスのデータに変換すると共に、このＩＰアドレス宛に呼出信号を送信して、ＩＰ電話機と集合インタフォンとの間で呼を確立させるＳＩＰサーバと、共用玄関口のドアの開錠と施錠とを制御する電気錠制御装置とを備え、集合インタフォンとＩＰ電話機との間で回線交換機を介さず呼を確立するようにしたものである。
【０００９】
請求項３の発明は、請求項２に記載の集合住宅用セキュリティシステムにおいて、ＳＩＰサーバは、集合住宅外に配設されて、インタフォン用ＩＦ機器とインターネットを介して接続されており、集合インタフォンからインタフォン用ＩＦ機器とインターネットとを介して部屋番号のデータを受信するものである。
【００１０】
請求項４の発明は、請求項２又は請求項３に記載の集合住宅用セキュリティシステムにおいて、集合住宅内の各部屋に配設されたＩＰ電話機とインタフォン用ＩＦ機器との間の配線として、集合住宅内におけるＬＡＮ用の配線を用いたものである。
【００１１】
請求項５の発明は、請求項３又は請求項４に記載の集合住宅用セキュリティシステムにおいて、集合住宅内の各部屋に配設されたＩＰ電話機をインターネットに接続するための配線、及びインタフォン用ＩＦ機器をインターネットに接続するための配線として、集合住宅内におけるＬＡＮ用の配線を用いたものである。
【００１２】
請求項６の発明は、請求項２乃至請求項５に記載の集合住宅用セキュリティシステムにおいて、集合インタフォンは、集合住宅内の各部屋に配設されたＩＰ電話機からインタフォン用ＩＦ機器を介して、特定のダイヤル番号の信号を受信したときに、電気錠制御装置に対して開錠信号を出力し、電気錠制御装置は、開錠信号を受信すると、共用玄関口のドアを一時的に開錠するように制御するものである。
【００１３】
請求項７の発明は、請求項２乃至請求項６に記載の集合住宅用セキュリティシステムにおいて、電気錠制御装置に対して開錠信号を出力することが可能な開錠用インタフェース機器（以下、「開錠用ＩＦ機器」という）をさらに備え、ＩＰ電話機は、ユーザによりＩＰ電話機の開錠ボタンが押されたときに、開錠ボタンに対応する信号をインターネットを介してＳＩＰサーバに送信し、ＳＩＰサーバは、ＩＰ電話機から開錠ボタンに対応する信号を受信したときに、パケット化した開錠信号をインターネットを介して開錠用ＩＦ機器に送信し、開錠用ＩＦ機器は、ＳＩＰサーバからパケット化された開錠信号を受信したときに、このパケット化された開錠信号を組み立てて、組み立てた開錠信号を電気錠制御装置に出力し、電気錠制御装置は、開錠信号を受信すると、共用玄関口のドアを一時的に開錠するように制御するものである。
【００１４】
請求項８の発明は、請求項２乃至請求項７に記載の集合住宅用セキュリティシステムにおいて、集合インタフォン内部又は集合インタフォンの周辺に配設されたカメラと、カメラにより撮像した画像の信号を、一般のテレビジョン信号と混合させるためのミキサーとをさらに備え、上記のカメラにより撮像した画像を、ミキサーを介して、集合住宅内の各部屋に配設されたテレビジョン受像機で受像し得るようにしたものである。
【００１５】
請求項９の発明は、請求項２乃至請求項８に記載の集合住宅用セキュリティシステムにおいて、集合住宅を警備するための警備センターに配されて、パケットデータの形式で信号を送受信するＩＰ電話機をさらに備え、ＩＰ電話機は、インターネットに接続されており、ＩＰ電話機は、ユーザによりＩＰ電話機の開錠ボタンが押されたときに、開錠ボタンに対応する信号をインターネットを介してＳＩＰサーバに送信し、ＳＩＰサーバは、ＩＰ電話機から開錠ボタンに対応する信号を受信したときに、パケット化した開錠信号をインターネットを介して開錠用ＩＦ機器に送信し、開錠用ＩＦ機器は、ＳＩＰサーバから開錠ボタンに対応する信号を受信したときに、パケット化された開錠信号を組み立てて、組み立てた開錠信号を電気錠制御装置に出力し、電気錠制御装置は、開錠信号を受信すると、共用玄関口のドアを一時的に開錠するように制御するものである。
【００１６】
請求項１０の発明は、請求項２乃至請求項９に記載の集合住宅用セキュリティシステムにおいて、集合住宅を警備するための警備センターに配された情報端末をさらに備え、情報端末は、インターネットに接続されており、情報端末は、ユーザにより開錠を指示する入力が行われたときに、パケット化した開錠信号をインターネットを介して開錠用ＩＦ機器に送信し、開錠用ＩＦ機器は、情報端末からパケット化された開錠信号を受信したときに、このパケット化された開錠信号を組み立てて、組み立てた開錠信号を電気錠制御装置に出力し、電気錠制御装置は、開錠信号を受信すると、共用玄関口のドアを一時的に開錠するように制御するものである。
【発明の効果】
【００１７】
請求項１の発明によれば、ＩＰ電話機から集合インタフォンに入力されるデータのＤ／Ａ変換と集合インタフォンからＩＰ電話機に入力されるデータのＡ／Ｄ変換とを行うインタフォン用ＩＦ機器と、集合インタフォンから受信した部屋番号のデータをＩＰ電話機のＩＰアドレスのデータに変換して、このＩＰアドレス宛に呼出信号を送信するＳＩＰサーバとを設けたことにより、固定のＩＰ電話機とアナログ方式の集合インタフォンとの間で回線交換機を介さず呼を確立することができる。これにより、高価な回線交換機が不要となる。また、パケットデータの形式で信号を送受信するＩＰ電話機を用いて集合インタフォンとの間の内線通話と外部の電話機との外線通話を行うことができるので、インタフォン用の配線とＩＰ電話機用の配線とをＬＡＮ用の配線と共用することが可能となる。これにより、配線用のスペースを容易に確保することができ、また、配線に必要な費用を削減することができる。
【００１８】
請求項２の発明によれば、上記と同様な効果に加えて、パケットデータの形式で信号を送受信するＩＰ電話機を用いて共用玄関口のドアの開錠を行うことができるので、オートロック機能を有する集合住宅用セキュリティシステムにおいて、インタフォン用の配線とＩＰ電話機用の配線とを共用することが可能となる。
【００１９】
また、請求項３の発明によれば、ＳＩＰサーバを集合住宅外に配設して、ＳＩＰサーバとインタフォン用ＩＦ機器とをインターネットを介して接続したことにより、１台のＳＩＰサーバを複数の集合住宅間で共用することができる。
【００２０】
また、請求項４の発明によれば、集合住宅内の各部屋に配設されたＩＰ電話機とインタフォン用ＩＦ機器との間の配線として、集合住宅内におけるＬＡＮ用の配線を用いたことにより、実質的にインタフォン用の配線をＬＡＮ用の配線と共用することができる。
【００２１】
また、請求項５の発明によれば、集合住宅内の各部屋に配設されたＩＰ電話機をインターネットに接続するための配線、及びインタフォン用ＩＦ機器をインターネットに接続するための配線として、集合住宅内におけるＬＡＮ用の配線を用いたことにより、ＩＰ電話機と集合インタフォンとをインターネットとＳＩＰサーバとを介して接続するための配線（インタフォン用の配線の一部）、及びＩＰ電話機用の配線をＬＡＮ用の配線と共用することができる。
【００２２】
また、請求項６の発明によれば、集合インタフォンは、集合住宅内の各部屋に配設されたＩＰ電話機からインタフォン用ＩＦ機器を介して、特定のダイヤル番号の信号を受信したときに、電気錠制御装置に対して開錠信号を出力し、電気錠制御装置は、開錠信号を受信すると、共用玄関口のドアを一時的に開錠するように制御する。これにより、ＩＰ電話機から集合インタフォンを介して共用玄関口のドアの開錠を行うことができる。
【００２３】
また、請求項７の発明によれば、ＩＰ電話機は、ユーザによりＩＰ電話機の開錠ボタンが押されたときに、開錠ボタンに対応する信号をインターネットを介してＳＩＰサーバに送信し、ＳＩＰサーバは、ＩＰ電話機から開錠ボタンに対応する信号を受信したときに、パケット化した開錠信号をインターネットを介して開錠用ＩＦ機器に送信し、開錠用ＩＦ機器は、ＳＩＰサーバからパケット化された開錠信号を受信したときに、このパケット化された開錠信号を組み立てて、組み立てた開錠信号を電気錠制御装置に出力し、電気錠制御装置は、開錠信号を受信すると、共用玄関口のドアを一時的に開錠するように制御する。これにより、ＩＰ電話機から集合インタフォンを介さずに共用玄関口のドアの開錠を行うことができる。
【００２４】
また、請求項８の発明によれば、集合インタフォン内部又は集合インタフォンの周辺に配設されたカメラと、カメラにより撮像した画像の信号を一般のテレビジョン信号と混合させるためのミキサーとをさらに備え、上記のカメラにより撮像した画像を、ミキサーを介して、集合住宅内の各部屋に配設されたテレビジョン受像機で受像し得るようにした。これにより、集合住宅内の各部屋の居住者が、集合インタフォンの前に居る相手を部屋の中から画像と音声で確認することができる。
【００２５】
また、請求項９の発明によれば、警備センターに配されたＩＰ電話機は、ユーザにより開錠ボタンが押されたときに、開錠ボタンに対応する信号をインターネットを介してＳＩＰサーバに送信し、ＳＩＰサーバは、上記ＩＰ電話機から開錠ボタンに対応する信号を受信したときに、パケット化した開錠信号をインターネットを介して開錠用ＩＦ機器に送信し、開錠用ＩＦ機器は、ＳＩＰサーバから開錠ボタンに対応する信号を受信したときに、パケット化された開錠信号を組み立てて、組み立てた開錠信号を電気錠制御装置に出力し、電気錠制御装置は、開錠信号を受信すると、共用玄関口のドアを一時的に開錠するように制御する。これにより、緊急時に、警備センターに配されたＩＰ電話機から、インターネットを介してリモートで共用玄関口のドアを開錠することができる。
【００２６】
また、請求項１０の発明によれば、警備センターに配された情報端末は、ユーザにより開錠を指示する入力が行われたときに、パケット化した開錠信号をインターネットを介して開錠用ＩＦ機器に送信し、開錠用ＩＦ機器は、情報端末からパケット化された開錠信号を受信したときに、このパケット化された開錠信号を組み立てて、組み立てた開錠信号を電気錠制御装置に出力し、電気錠制御装置は、開錠信号を受信すると、共用玄関口のドアを一時的に開錠するように制御する。これにより、緊急時に、警備センターに配された情報端末から、インターネットを介してリモートで共用玄関口のドアを開錠することができる。
【発明を実施するための最良の形態】
【００２７】
本発明を実施するための最良の形態について図面を参照して説明する。本発明は、主に集合住宅の共用玄関口で、居住者及び居住者から許可を得た者のみの出入りを許容する集合住宅用セキュリティシステムに関するものであり、固定電話機と集合インタフォンとの間で回線交換機を介さず呼を確立することができるようにして、高価な回線交換機を不要にすると共に、ＩＰ電話機を用いて、電話機と集合インタフォンとの間の内線通話と共用玄関口のドアの開錠とを行うことができるようにして、インタフォン用配線と電話用配線とＬＡＮ用の配線とを一本化することができるようにしたものである。なお、以下に記載した実施形態は、本発明を網羅するものではなく、本発明は、下記の形態だけに限定されない。
【００２８】
図１は、本実施形態によるオートロック機能を有する集合住宅用セキュリティシステム（集合住宅用インタフォンシステム）のシステム構成を示す。この集合住宅用セキュリティシステム１は、集合住宅２内に配設されたＬＡＮ上の各機器と、通信管理センター３内に配設されたＬＡＮ６０上の各機器と、警備センター４内に配設されたＬＡＮ５０上の各機器とをインターネット５とＩＳＤＮ６とを介して接続したものである。ＩＳＤＮ６は、バックアップ用の回線として用いられる。また、警備センター４内に配設されたアナログ方式の電話５５と集合住宅２内に配設された集合インタフォン１１との間は、集合インタフォン用のインタフェース機器（以下、「インタフォン用ＩＦ」という）１２を介してアナログ回線網７で接続されている。集合住宅２内には、共用玄関口に設置されて、居住者に対する呼び出しを行うためのアナログ方式の集合インタフォン１１と、インタフォン用ＩＦ１２と、集合住宅内の各部屋に配設されたＩＰ電話機１３と、共用玄関口の自動ドア１５の開錠と施錠とを制御する電気錠制御装置１４と、電気錠制御装置１４に対して開錠信号を出力することが可能な開錠用インタフェース機器（以下、「開錠用ＩＦ」という）２３とが配設されている。上記のインタフォン用ＩＦ１２は、集合インタフォン１１から出力されたアナログ信号形式のデータに対するデジタル化処理、符号化処理、及びパケット分解処理を行うと共に、集合インタフォンに入力されるデジタル信号形式のデータに対するパケット組立処理、復号化処理、及びアナログ化処理を行うものである。また、上記のＩＰ電話機１３は、アダプタを介することなく、パケットデータの形式で信号を送受信することが可能なタイプの電話機である。このＩＰ電話機１３は、インターネットを介して他の電話機と通信可能であると共に、インタフォン用ＩＦ１２を介して集合インタフォン１１と通信可能である。ＩＰ電話機１３には、ダイヤル番号入力用のプッシュボタン１７と開錠を指示するための開錠ボタン１８とが設けられている。
【００２９】
また、集合住宅２内の各部屋には、ＩＰ電話機１３以外に、パーソナル・コンピュータ（以下、「パソコン」と略す）１９とテレビジョン受像機が配されている。ＩＰ電話機１３に送信されるデータとパソコン１９に送信されるデータとの切り分けは、ＳＷ−ハブ２０により行われる。
【００３０】
また、上記の集合インタフォン１１には、カメラ２１が内蔵されている。このカメラ２１により撮影した画像の信号は、集合住宅２内に配設されたテレビアンテナミキサー２２により一般のテレビジョン信号と混合されて、上記の各部屋に配されたテレビジョン受像機に送信される。従って、集合住宅２内の各部屋の居住者は、集合インタフォン１１の前に居る相手を部屋の中のテレビジョン受像機で確認することができる。
【００３１】
集合住宅２内には、エントランス等に配されたカメラ２６、及びエレベータに配されたカメラ２９により撮像された画像データを保存するための画像保存サーバ２４が配設されている。エレベータに配されたカメラ２９により撮像された画像データは、ＩＰ画像変換器３０でパケット化されたデジタル信号に変換された後に、画像保存サーバ２４に送られる。上記のカメラ２６、２７、２９により撮像された各画像データは、全てＳＷ−ハブ２８を介して画像保存サーバ２４に送られる。画像保存サーバ２４に保存された画像は、画像保存サーバ２４自体のディスプレイ２５で見ることができる。
【００３２】
また、集合住宅２内のＬＡＮ上には、ＬＡＮ上のどのセグメントにデータを送信するかを切り分けるためのＳＷ−ハブ３５、３６が配設されている。集合住宅２内のＬＡＮの終端部分には、インターネット５又はＩＳＤＮ６を介して、集合住宅２内のＬＡＮを通信管理センター３内のＬＡＮ６０や警備センター４内のＬＡＮ５０と接続するためのルータ３７が設けられている。このルータ３７は、光ファイバー接続用のインタフェース機器であるＯＮＵ（Optical Network Unit）３８、及びＩＳＤＮ６への接続用のインタフェース機器であるＴＡ(Terminak Adapter)３９と接続されている。集合住宅２内のＬＡＮが、インターネット５を介して通信管理センター３内のＬＡＮ６０と接続するときには、ＯＮＵ３８を介してデータの送受信が行われ、ＩＳＤＮ６を介して通信管理センター３内のＬＡＮ６０と接続するときには、ＴＡ３９を介してデータの送受信が行われる。また、上記の集合住宅２内には、落雷等に伴う危険防止用の保安器４０が設けられている。上記の集合インタフォン１１は、インタフォン用ＩＦ１２と保安器４０とアナログ回線網７と警備センター４内の保安器５６とを介して警備センター４内のアナログ電話５５と接続されている。警備センター４側の警備員は、上記のアナログ電話５５から集合インタフォン１１の前に居る相手と通話することができ、また、アナログ電話５５から集合インタフォン１１を介して電気錠制御装置１４に開錠信号を出力することができる。
【００３３】
上記集合住宅２内の各部屋に配設されたＩＰ電話機１３とインタフォン用ＩＦ１２との間の配線３１乃至３３には、集合住宅２内におけるＬＡＮ用の配線が用いられている。また、集合住宅２内の各部屋に配設されたＩＰ電話機１３をインターネット５に接続するための配線３１、３２、３４、及びインタフォン用ＩＦ１２をインターネット５に接続するための配線３３、３４にも、集合住宅２内におけるＬＡＮ用の配線が用いられている。
【００３４】
また、通信管理センター３内には、集合住宅用セキュリティシステム１内の各通信機器間の呼制御及び状態管理を行うためのＳＩＰ（Session Initiation Protocol）サーバ６１と保守端末６２とが配されている。ＳＩＰサーバ６１は、集合住宅２内の集合インタフォン１１からインタフォン用ＩＦ１２とインターネット５とを介して部屋番号のデータを受信したときに、この部屋番号のデータを該当する部屋のＩＰ電話機１３のＩＰアドレスのデータに変換すると共に、このＩＰアドレス宛に呼出信号を送信して、集合住宅２内のＩＰ電話機１３と集合インタフォン１１との間で呼を確立させる。ＳＩＰサーバ６１は、部屋番号とＩＰ電話機１３のＩＰアドレスとの対応テーブルに基づいて、上記の部屋番号とＩＰアドレスとの変換処理を行う。また、上記の保守端末６２からは、上記の対応テーブルのメンテナンスや、集合住宅用セキュリティシステム１内の各通信機器の状態表示や、集合住宅２における共用玄関口の自動ドア１５の開錠指示等の処理を行うことができる。保守端末６２からの開錠を指示するための信号は、インターネット５を介して集合住宅２内のインタフォン用ＩＦ１２又は開錠用ＩＦ２３に送信される。なお、通信管理センター３内には、集合住宅２内のルータ３７と同様なルータ６３、及び集合住宅２内のＯＮＵ３８と同様なＯＮＵ６４が配設されており、上記の保守端末６２に対する送受信データは、通常、ルータ６３とＯＮＵ６４とを介して送受信される。
【００３５】
また、警備センター４内のＬＡＮ５０上には、集合住宅２内のＩＰ電話機１３と同様なＩＰ電話機５１と保守端末５２（請求項１０における情報端末）とが配設されている。上記の集合住宅２内のＩＰ電話機１３と同様に、この警備センター４内のＩＰ電話機５１からも、共用玄関口の自動ドア１５の開錠を指示することができる。このＩＰ電話機５１からの開錠を指示するための特定のダイヤル番号の信号は、インターネット５を介して集合住宅２内のインタフォン用ＩＦ１２に送信される。また、ＩＰ電話機５１からの開錠ボタンに対応する信号は、インターネット５と通信管理センター３内のＳＩＰサーバ６１とを介して集合住宅２内の開錠用ＩＦ２３に送信される。また、上記の警備センター４内の保守端末５２からも、共用玄関口の自動ドア１５の開錠を指示することができる。保守端末５２からの開錠を指示するための信号も、上記のＩＰ電話機５１からの信号と同様な経路で、インタフォン用ＩＦ１２又は開錠用ＩＦ２３に送信される。なお、警備センター４内には、集合住宅２内のルータ３７と同様なルータ５３、及び集合住宅２内のＯＮＵ３８と同様なＯＮＵ５４が配設されており、上記のＩＰ電話機５１及び保守端末５２に対する送受信データは、ルータ５３とＯＮＵ５４とを介して送受信される。
【００３６】
次に、図２を参照して、上記のインタフォン用ＩＦ１２の構成について説明する。インタフォン用ＩＦ１２は、ＳＬＩＣ７１（Subscriber Line Interface Circuit：加入者線インタフェース回路）を有しており、このＳＬＩＣ７１を介して集合インタフォン１１と接続される。また、図に示されるように、インタフォン用ＩＦ１２は、Ａ／Ｄ変換機７２、ＣＯＤＥＣ７３（Coder-Decorder：符号化／復号化器）、ＩＰ（Internet Protocol）パケット処理部７４、送信回路７５、受信回路７６、Ｄ／Ａ変換機７７、ＰＢ（Push Button）レシーバ７８、ＣＰＵ７９、及び制御用のプログラム等を格納したＲＯＭ（Read-Only  Memory）８０を有している。
【００３７】
上記構成において、インタフォン用ＩＦ１２は、集合インタフォン１１から入力されたアナログ形式の音声信号をＳＬＩＣ７１を介して受信して、Ａ／Ｄ変換機７２でデジタル信号に変換する。そして、インタフォン用ＩＦ１２は、このデジタル形式の音声信号をＣＯＤＥＣ７３で符号化し、ＩＰパケット処理部７４でパケット化して、送信回路７５を通してＬＡＮ上に出力する。これにより、ＬＡＮ用の配線を用いて、集合インタフォン１１から各部屋のＩＰ電話機１３への音声信号の送信を行うことができる。
【００３８】
また、インタフォン用ＩＦ１２は、ＩＰ電話機１３等からＬＡＮを介して入力されたパケット化されたデジタル形式の音声信号、ダイヤル信号を受信回路７６によって受信して、ＩＰパケット処理部７４で元の信号に組み立てる。そして、インタフォン用ＩＦ１２は、組み立て後の信号をＣＯＤＥＣ７３で復号化し、Ｄ／Ａ変換機７７でアナログ形式の信号に変換して、ＳＬＩＣ７１を介して集合インタフォン１１に送信する。これにより、ＬＡＮ用の配線を用いて、各部屋のＩＰ電話機１３から集合インタフォン１１への音声信号及びダイヤル信号の送信を行うことができる。また、インタフォン用ＩＦ１２は、各部屋のＩＰ電話機１３から受信したダイヤル信号が特定のダイヤル番号を表す信号であるときには、電気錠制御装置１４に対して開錠信号を出力する。従って、ＬＡＮ用の配線を用いて、各部屋のＩＰ電話機１３のプッシュボタン１７から、共用玄関口の自動ドア１５の開錠を指示することができる。
【００３９】
さらにまた、インタフォン用ＩＦ１２は、集合インタフォン１１のテンキーから入力されたダイヤル信号を、ＳＬＩＣ７１を通してＰＢレシーバ７８で受信して、ＣＰＵ７９に送信する。ＣＰＵ７９は、このダイヤル信号をＩＰパケット処理部７４を用いてパケット化して、送信回路７５を通してＬＡＮ上に出力する。これにより、ＬＡＮ用の配線を用いて、集合インタフォン１１のテンキーから入力された部屋番号の信号をインターネット５上に送信して、通信管理センター３内のＳＩＰサーバ６１に送ることができる。
【００４０】
次に、図３を参照して、上記の開錠用ＩＦ２３の構成について説明する。開錠用ＩＦ２３は、受信回路８１、ＩＰパケット処理部８２、ＣＰＵ８３、リレー駆動回路８４、送信回路８５、及び制御用のプログラム等を格納したＲＯＭ８６を有している。
【００４１】
上記図１に示されるＩＰ電話機１３の開錠ボタン１８からの開錠処理は、上記の開錠用ＩＦ２３を用いて行われる。具体的には、集合住宅２内の各部屋の居住者がＩＰ電話機１３の開錠ボタン１８を押すと、ＩＰ電話機１３は、開錠ボタン１８に対応する信号をインターネット５を介してＳＩＰサーバ６１に送信する。ＳＩＰサーバ６１は、ＩＰ電話機１３から開錠ボタン１８に対応する信号を受信すると、パケット化した開錠信号をインターネット５を介して開錠用ＩＦ２３に送信する。開錠用ＩＦ２３は、ＳＩＰサーバ６１から受信回路８１を通してパケット化された開錠信号を受信すると、このパケット化された開錠信号をＩＰパケット処理部８２により組み立てて、組み立てた開錠信号をＣＰＵ８３に送信する。ＣＰＵ８３は、リレー駆動回路８４によって、電気錠制御装置１４のリレーを動作させて、共用玄関口の自動ドア１５を一時的に開錠する。これにより、ＩＰ電話機１３から集合インタフォン１１を介さずに共用玄関口の自動ドア１５の開錠を行うことができる。
【００４２】
次に、上記図１に加えて、図４のフローチャートを参照して、集合住宅用セキュリティシステム１におけるオートロック機能に関連する処理について説明する。集合住宅２内の各部屋への訪問者が、集合インタフォン１１のテンキーから、訪問相手の部屋番号を入力すると（Ｓ１）、図１の（１）に示すように、集合インタフォン１１は、この部屋番号の信号をインタフォン用ＩＦ１２に送信する。インタフォン用ＩＦ１２は、部屋番号の信号を受信すると、受信したデジタル信号形式の部屋番号のデータをパケット化して（Ｓ２）、パケット化した部屋番号のデータを、（２）に示すように、ＳＩＰサーバ６１に送信する（Ｓ３）。ＳＩＰサーバ６１は、受信した部屋番号のデータをＩＰアドレスのデータに変換した上で（Ｓ４）、（３）に示すように、このＩＰアドレス宛に呼出信号を送信して、ＩＰ電話機１３と集合インタフォン１１との間で呼を確立させる（Ｓ５）。そして、該当の居住者がＩＰ電話機１３をオフフックすることにより、（４）に示すように、ＳＩＰサーバ６１を介さず、ＩＰ電話機１３と集合インタフォン１１とがインタフォン用ＩＦ１２を介して直接接続されて、ＩＰ電話機１３と集合インタフォン１１との間の内線通話が可能となる（Ｓ６）。そして、居住者がＩＰ電話機１３のプッシュボタン１７からダイヤル番号を入力すると、集合インタフォン１１は、（５）に示すように、インタフォン用ＩＦ１２を介して、この信号を受信して、受信した信号が表すダイヤル番号が、集合インタフォン１１内のメモリに登録された特定のダイヤル番号と一致するか否かを判定する（Ｓ７）。その結果、特定のダイヤル番号と一致する場合には（Ｓ７でＹＥＳ）、集合インタフォン１１は、電気錠制御装置１４に対して開錠信号を出力して（Ｓ８）、共用玄関口の自動ドア１５を一時的に開錠する（Ｓ９）。
【００４３】
上記の居住者が、ＩＰ電話機１３のプッシュボタン１７からダイヤル番号を入力する代わりに（Ｓ７でＮＯ）、ＩＰ電話機１３の開錠ボタン１８を押した場合にも、共用玄関口の自動ドア１５を一時的に開錠することができる。すなわち、居住者がＩＰ電話機１３の開錠ボタン１８を押すと（Ｓ１０でＹＥＳ）、ＩＰ電話機１３は、開錠ボタン１８に対応する信号をインターネット５を介してＳＩＰサーバ６１に送信する（Ｓ１１）。ＳＩＰサーバ６１は、ＩＰ電話機１３から開錠ボタン１８に対応する信号を受信すると、パケット化した開錠信号をインターネット５を介して開錠用ＩＦ２３に送信する（Ｓ１２）。開錠用ＩＦ２３は、ＳＩＰサーバ６１からパケット化された開錠信号を受信すると、このパケット化された開錠信号を組み立てて、組み立てた開錠信号を電気錠制御装置１４に出力する（Ｓ１３）。電気錠制御装置１４は、開錠信号を受信すると、共用玄関口の自動ドア１５を一時的に開錠する（Ｓ９）。
【００４４】
上記Ｓ７に示される特定のダイヤル番号の入力待ちの処理と、上記Ｓ８に示される開錠ボタン１８の押下待ちの処理とは、ＩＰ電話機１３と集合インタフォン１１との間の呼が解放されるまで（Ｓ１４でＮＯ）、続けられる。
【００４５】
上述したように、本実施形態による集合住宅用セキュリティシステム１によれば、ＩＰ電話機１３から集合インタフォン１１に入力されるデータのＤ／Ａ変換と集合インタフォン１１からＩＰ電話機１３に入力されるデータのＡ／Ｄ変換とを行うインタフォン用ＩＦ１２と、集合インタフォン１１から受信した部屋番号のデータをＩＰ電話機１３のＩＰアドレスのデータに変換して、このＩＰアドレス宛に呼出信号を送信するＳＩＰサーバ６１とを設けたことにより、固定のＩＰ電話機１３とアナログ方式の集合インタフォン１１との間で回線交換機を介さず呼を確立することができる。これにより、高価な回線交換機が不要となる。
【００４６】
また、パケットデータの形式で信号を送受信するＩＰ電話機１３を用いて、集合インタフォン１１との間の内線通話と外線通話と共用玄関口の自動ドア１５の開錠指示とを行うことができるので、インタフォン用の配線とＩＰ電話機用の配線とをＬＡＮ用の配線と共用することが可能となる。これにより、配線用のスペースを容易に確保することができ、また、配線に必要な費用を削減することができる。具体的には、集合住宅２内の各部屋に配設されたＩＰ電話機１３とインタフォン用ＩＦ１２との間の配線３１乃至３３として、集合住宅２内におけるＬＡＮ用の配線を用いたことにより、実質的にインタフォン用の配線をＬＡＮ用の配線と共用することができる。また、集合住宅２内の各部屋に配設されたＩＰ電話機１３をインターネット５に接続するための配線３１、３２、３４、及びインタフォン用ＩＦ１２をインターネット５に接続するための配線３３、３４として、集合住宅２内におけるＬＡＮ用の配線を用いたことにより、ＩＰ電話機１３と集合インタフォン１１とをインターネット５とＳＩＰサーバ６１とを介して接続するための配線（インタフォン用の配線の一部）、及びＩＰ電話機１３用の配線をＬＡＮ用の配線と共用することができる。
【００４７】
また、ＳＩＰサーバ６１を集合住宅２外に配設して、ＳＩＰサーバ６１とインタフォン用ＩＦ１２とをインターネット５を介して接続したことにより、１台のＳＩＰサーバ６１を複数の集合住宅間で共用することができる。
【００４８】
なお、本発明は、上記実施形態に限られるものではなく、様々な変形が可能である。例えば、上記実施形態では、ＳＩＰサーバ６１を集合住宅２外に配設して、ＳＩＰサーバ６１とインタフォン用ＩＦ１２とをインターネット５を介して接続したが、ＳＩＰサーバを集合住宅内に配してもよい。また、本発明の適用対象は、オートロック機能を有する集合住宅用セキュリティシステムに限らず、電気錠制御装置を有さない集合住宅用インタフォンシステムであってもよい。また、上記実施形態における開錠用ＩＦ２３、カメラ２１、２６、２７、２９、及び画像保存サーバ２４は、本発明に必須の構成要件ではない。
【図面の簡単な説明】
【００４９】
【図１】本実施形態に係る集合住宅用セキュリティシステムのシステム構成図。
【図２】上記図１中のインタフォン用ＩＦの回路ブロック図。
【図３】上記図１中の開錠用ＩＦの回路ブロック図。
【図４】上記セキュリティシステムにおけるオートロック機能に関連する処理のフローチャート。
【符号の説明】
【００５０】
１    集合住宅用セキュリティシステム（集合住宅用インタフォンシステム）
１１  集合インタフォン
１２  インタフォン用ＩＦ（インタフォン用ＩＦ機器）
１３  ＩＰ電話機
１４  電気錠制御装置
２１  カメラ
２２  テレビアンテナミキサー（ミキサー）
２３  開錠用ＩＦ（開錠用ＩＦ機器）
３１  配線（ＩＰ電話機とインタフォン用ＩＦ機器との間の配線、ＩＰ電話機をインターネットに接続するための配線）
３２  配線（ＩＰ電話機とインタフォン用ＩＦ機器との間の配線、ＩＰ電話機をインターネットに接続するための配線）
３３  配線（ＩＰ電話機とインタフォン用ＩＦ機器との間の配線、インタフォン用ＩＦ機器をインターネットに接続するための配線）
３４  配線（ＩＰ電話機をインターネットに接続するための配線、インタフォン用ＩＦ機器をインターネットに接続するための配線）
５１  ＩＰ電話機
５２  保守端末（情報端末）
６１  ＳＩＰサーバ
【図１】
2005294968.tif 000003
【図２】
2005294968.tif 000004
【図３】
2005294968.tif 000005
【図４】
2005294968.tif 000006